(57)【特許請求の範囲】
【請求項１】
再生手段により可搬型の第１の記録媒体から再生された一連の楽曲データを格納する第２の記録媒体と、
前記再生手段により前記第１の記録媒体から再生された、前記一連の楽曲データにおける個々の楽曲データに関する固有情報を、前記個々の楽曲データと対応付けて記憶する固有情報記憶手段と、
前記第２の記録媒体に格納された前記一連の楽曲データのうちのいずれかの楽曲データの再生が使用者により指示されたときに、前記第１の記録媒体を前記再生手段にセットすべき旨の要求をランダムに発生する要求発生手段と、
前記要求発生手段により前記要求が発生されたときに、前記再生手段により前記第１の記録媒体から再生された、前記一連の楽曲データにおける個々の楽曲データに関する固有情報と、前記固有情報記憶手段に記憶されている、使用者により再生が指示された楽曲の固有情報とを比較し、一致する固有情報が存在するか否かを判断する一致判断手段と、
前記一致判断手段により一致する固有情報が存在すると判断されたときに、使用者により指示された楽曲データの再生を許可する再生許可手段とを備えたことを特徴とする、記録再生装置。
【請求項２】
前記第２の記録媒体から再生された楽曲データは、通信網を介して前記第２の記録媒体の再生位置から遠隔の位置に伝送される、請求項１に記載の記録再生装置。
【請求項３】
使用者による前記楽曲データの再生指示は、前記楽曲データを聴取するための指示であり、前記再生許可手段は、前記楽曲データを音響として出力するのを許可する、請求項１または２に記載の記録再生装置。
【請求項４】
使用者による前記楽曲データの再生指示は、前記楽曲データを第３の記録媒体に記録するための指示であり、前記再生許可手段は、前記楽曲データを前記第３の記録媒体の記録手段に出力するのを許可する、請求項１または２に記載の記録再生装置。
【請求項５】
使用者による前記楽曲データの再生指示は、前記楽曲データを第３の記録媒体に記録するための指示であり、前記再生許可手段は、前記一致判断手段により一致する固有情報が存在すると判断されたときに、前記楽曲データと共に前記第３の記録媒体の記録手段に出力する著作権管理情報を複製許可に設定し、前記一致判断手段により一致する固有情報が存在しないと判断されたときに、前記著作権管理情報を複製不許可に設定する、請求項１または２に記載の記録再生装置。
【請求項６】
前記固有情報は、楽曲の再生時間であり、その再生時間は、秒よりも短い単位であるフレームを含む、請求項１ないし５のいずれかに記載の記録再生装置。
【請求項７】
前記要求発生手段は、前記第２の記録媒体に格納された前記一連の楽曲データのうちのいずれかの楽曲データの再生が使用者により指示される毎に、その回数を各楽曲別に累積して記憶しておき、その回数と予め決められた所定の最大値との間の数値をランダムに生成し、その数値と前記回数とが一致したときに前記要求を発生する、請求項１ないし６のいずれかに記載の記録再生装置。
【請求項８】
前記要求発生手段は、前記第２の記録媒体に格納された前記一連の楽曲データのうちのいずれかの楽曲データの再生が使用者により指示される毎に、その時刻を各楽曲別に記憶しておき、前回の指示から今回の指示までの時間を演算して、その時間が予め決められた所定時間以上であるときに前記要求を発生する、請求項１ないし６のいずれかに記載の記録再生装置。
【発明の詳細な説明】
【０００１】
【発明の属する技術分野】
本発明は、ハードディスクなどの記録メディアを備えたオーディオ機器、またはコンピュータ機器に関する。
【０００２】
【従来の技術】
たとえば、パーソナルコンピュータでは、ＣＤから取得した楽曲データをコンピュータ内のハードディスクに記録する、いわゆるリッピングが可能とされている。ハードディスクに記録された楽曲データは、ディジタル録音により劣化することなく半永久的に再生することができる。
【０００３】
また、パーソナルコンピュータでは、リッピングだけでなくディジタル出力も可能とされている。ディジタル出力では、ＣＤに記録されている楽曲データをハードディスクに記録しつつ、このハードディスクからコンピュータに接続されたディジタル録音機器などに転送して複製することができるが、楽曲データの複製に先立っては、著作権管理情報を示すビットデータが出力される。このビットデータによれば、楽曲データの複製が許可されるか不許可とされるが、通常、パーソナルコンピュータからのディジタル出力では、複製許可を示すビットデータが出力されるように設定されていることが多い。
【０００４】
【発明が解決しようとする課題】
しかしながら、上記したリッピングを利用すれば、たとえばレンタルＣＤ店で短期的に借り受けたＣＤでも、そのＣＤの楽曲データをハードディスクに記録しておき、ＣＤ返却後にあっても半永久的に再生できるので、著作権者側の立場からすると不利益が大きく、これに対する技術的な対応策が要請されていた。
【０００５】
また、上記したディジタル出力によれば、オリジナルＣＤの楽曲データをハードディスクにさえ一旦記録しておけば、その後はオリジナルＣＤが無くてもハードディスクからＭＤやＣＤ−Ｒなどに回数に限りなく楽曲データを複製することができ、このような点からも著作権の保護を図る上で有効策が必要とされていた。
【０００６】
もちろん、ディジタル出力では、常に複製を不許可とするビットデータを出力するように設定しておけば、著作権を無視した違法コピーを確実に防止できるが、そうした場合、ユーザ自らがコンピュータ上で作成した楽曲データであっても、ディジタル出力により複製することができなくなり、これではユーザにとって不都合が大きかった。
【０００７】
【発明の開示】
本発明は、このような事情のもとで考え出されたものであって、リッピング後の再生やディジタル出力が無制限に行われることを防止するとともに、ユーザが不便なく利用できる記録再生装置を提供することを、その課題としている。
【０００８】
上記の課題を解決するため、本発明では、次の技術的手段を講じている。
【０００９】
本発明の第１の側面によれば、再生手段により可搬型の第１の記録媒体から再生された一連の楽曲データを格納する第２の記録媒体と、再生手段により第１の記録媒体から再生された、一連の楽曲データにおける個々の楽曲データに関する固有情報を、個々の楽曲データと対応付けて記憶する固有情報記憶手段と、第２の記録媒体に格納された一連の楽曲データのうちのいずれかの楽曲データの再生が使用者により指示されたときに、第１の記録媒体を再生手段にセットすべき旨の要求をランダムに発生する要求発生手段と、要求発生手段により要求が発生されたときに、再生手段により第１の記録媒体から再生された、一連の楽曲データにおける個々の楽曲データに関する固有情報と、固有情報記憶手段に記憶されている、使用者により再生が指示された楽曲の固有情報とを比較し、一致する固有情報が存在するか否かを判断する一致判断手段と、一致判断手段により一致する固有情報が存在すると判断されたときに、使用者により指示された楽曲データの再生を許可する再生許可手段とを備えたことを特徴とする、記録再生装置が提供される。
【００１１】
好ましい実施の形態によれば、第２の記録媒体から再生された楽曲データは、通信網を介して第２の記録媒体の再生位置から遠隔の位置に伝送される。
【００１２】
他の好ましい実施の形態によれば、使用者による楽曲データの再生指示は、楽曲データを聴取するための指示であり、再生許可手段は、楽曲データを音響として出力するのを許可する。
【００１３】
他の好ましい実施の形態によれば、使用者による楽曲データの再生指示は、楽曲データを第３の記録媒体に記録するための指示であり、再生許可手段は、楽曲データを第３の記録媒体の記録手段に出力するのを許可する。
【００１４】
他の好ましい実施の形態によれば、使用者による楽曲データの再生指示は、楽曲データを第３の記録媒体に記録するための指示であり、再生許可手段は、一致判断手段により一致する固有情報が存在すると判断されたときに、楽曲データと共に第３の記録媒体の記録手段に出力する著作権管理情報を複製許可に設定し、一致判断手段により一致する固有情報が存在しないと判断されたときに、著作権管理情報を複製不許可に設定する。
【００１５】
他の好ましい実施の形態によれば、固有情報は、楽曲の再生時間であり、その再生時間は、秒よりも短い単位であるフレームを含む。
【００１６】
他の好ましい実施の形態によれば、要求発生手段は、第２の記録媒体に格納された一連の楽曲データのうちのいずれかの楽曲データの再生が使用者により指示される毎に、その回数を各楽曲別に累積して記憶しておき、その回数と予め決められた所定の最大値との間の数値をランダムに生成し、その数値と回数とが一致したときに要求を発生する。
【００１７】
他の好ましい実施の形態によれば、要求発生手段は、第２の記録媒体に格納された一連の楽曲データのうちのいずれかの楽曲データの再生が使用者により指示される毎に、その時刻を各楽曲別に記憶しておき、前回の指示から今回の指示までの時間を演算して、その時間が予め決められた所定時間以上であるときに要求を発生する。
【００１８】
本発明によれば、たとえば第１の記録媒体としてのオリジナルＣＤに対し、第２の記録媒体としてハードディスクなどに格納された楽曲データの再生がユーザにより指示された場合、ランダムにオリジナルＣＤをセットすることを要求する。要求に応じてオリジナルＣＤがセットされると、このオリジナルＣＤにおける楽曲データの固有情報と、あらかじめ記憶された固有情報とが比較一致する場合に限り、ハードディスクなどに格納された楽曲データの再生が許可される。
【００１９】
つまり、ハードディスクなどに記録された楽曲データであっても、その出所となるオリジナルＣＤが存在しない無作為時点では抜き打ち的に再生が許可されないので、オリジナルＣＤが無い状況でリッピング後の再生やディジタル出力が無制限に行われることを防止できる一方、オリジナルＣＤを持つユーザにとっては不便なくリッピングやディジタル出力を利用することができる。
【００２０】
本発明のその他の特徴および利点は、添付図面を参照して以下に行う詳細な説明によって、より明らかとなろう。
【００２１】
【発明の実施の形態】
以下、本発明の好ましい実施の形態を、図面を参照して具体的に説明する。
【００２２】
図１は、本発明に係る記録再生装置を備えたＣＤオーディオ装置の基本的構成を示すブロック図である。この図に示すように、ＣＤオーディオ装置１は、マイクロコンピュータ（以下、略して「マイコン部」と言う）１０を制御中枢として、ＣＤ機構部１１、ＲＦ信号処理サーボアンプ１２、ディジタル信号処理部１３、出力部１４、ハードディスク２０、操作部３０、および表示部４０などを有して概略構成されている。マイコン部１０には、ＲＦ信号処理サーボアンプ１２、ディジタル信号処理部１３、ハードディスク２０、操作部３０、および表示部４０が接続されている。なお、ＣＤ２は、ＣＤオーディオ装置１にて再生可能な楽曲データを記録したオリジナルの記録メディアであって、そのプログラム領域には、一連の楽曲データが曲ごとにフレームを最小単位として記録されているとともに、リードイン部には、各トラック（曲）の固有情報としての再生時間が分、秒、フレーム単位で書き込まれている。
【００２３】
マイコン部１０は、図示しないＣＰＵ、ＲＯＭ、ＲＡＭ、インターフェイスなどを集積したものであって、ＲＯＭに記憶されたコンピュータプログラムに基づいてＣＰＵがＣＤオーディオ装置１全体の動作を制御する。制御動作には、楽曲データを単に再生する動作のほか、ＣＤ２の楽曲データを再生しつつハードディスク２０に記録したり（リッピング）、ＣＤ２の楽曲データをハードディスク２０に記録しつつ、このハードディスク２０から図示しない外部のディジタル録音機器などに転送して複製させるといった動作が含まれる。
【００２４】
ＣＤ機構部１１は、図示しないスピンドルモータやスレッドモータなどのほか、ＣＤ２の記録面に対してレンズを上下に動かすためのフォーカスコイルや左右に動かすためのトラッキングコイルを備え、ＣＤ２から楽曲データや固有情報などを読み取ってピックアップ信号を出力する。
【００２５】
ＲＦ信号処理サーボアンプ１２は、ＣＤ機構部１１からのピックアップ信号に応じてフォーカスコイルやトラッキングコイル、スレッドモータなどを駆動するほか、ディジタル信号処理部１３からの信号に応じてスピンドルモータを駆動する。また、ＲＦ信号処理サーボアンプ１２は、ピックアップ信号を高周波に載せてディジタル信号処理部１３に出力する一方、ピックアップ信号に基づくシーク情報をマイコン部１０に送信する。
【００２６】
ディジタル信号処理部１３は、ＲＦ信号処理サーボアンプ１２からのピックアップ信号を二値化してＥＦＭ（Eight to Fourteen Modulation）信号に変換するとともに、ＰＬＬ（Phase-Locked Loop ）クロックを抽出し、そのクロックに応じてＥＦＭ信号をビット列に復調してディジタル信号としての楽曲データや固有情報などをマイコン部１０や出力部１４に送信する。また、ディジタル信号処理部１３は、内部生成したビット列やマイコン部１０から楽曲データとして送られてきたビット列を、ＥＦＭ復調、フレーム抽出、エラー訂正した後、ＰＣＭ（Pulse-Code Modulation ）信号を出力部１４に出力する。
【００２７】
出力部１４は、図示しないＤＡコンバータを介してディジタル信号処理部１３からのＰＣＭ信号をアナログ信号に変換し、このアナログ信号を図示しないスピーカへと供給することにより、楽曲データに基づく再生音を音響としてスピーカから発生させる。これを、「オーディオ出力」と呼ぶ。また、出力部１４は、マイコン部１０からディジタル信号処理部１３を経由して送られてきたディジタル信号としての楽曲データや固有情報などを、外部接続された図示しないＭＤやＣＤ−Ｒなどのディジタル録音機器へと転送する。ディジタル録音機器では、二次記録媒体としてのＭＤやＣＤ−Ｒなどに楽曲データを記録することで複製が行われる。これを、「ディジタル出力」と呼ぶ。
【００２８】
ハードディスク２０は、マイコン部１０のアクセス制御によりＣＤ２の楽曲データや固有情報などを曲ごとに記録する。もちろん、ハードディスク２０に記録された楽曲データや固有情報などは、オーディオ出力やディジタル出力に際してマイコン部１０のアクセス制御により曲ごとに読み出し可能とされる。なお、特に図示しないが、ハードディスク２０には、曲ごとに再生した累積回数を示す再生回数も固有情報に対応して記録されている。
【００２９】
操作部３０は、各種の操作キーを備え、ユーザのキー操作に応じた信号をマイコン部１０に伝える。特に、この操作部３０には、オーディオ出力やディジタル出力に伴う楽曲データの再生を指示するための操作キーが設けられている。表示部４０は、楽曲データの再生に際して固有情報を読み出すマイコン部１０の制御に応じて曲番号や曲時間などを表示する。
【００３０】
次に、図面を参照して楽曲データの再生処理について説明する。
【００３１】
図２は、ＣＤオーディオ装置１における楽曲データの再生処理を示すフローチャートである。なお、図中に示す「Ｎ」は、ユーザが再生を指示した時点で累積記録されている再生回数、「Ｎmax 」は、あらかじめ上限としてプログラムなどに規定されている最大再生回数、「Ｎr 」は、ある条件に従ってランダムに与えられる任意の整数とする。
【００３２】
図２に示すように、まず、ハードディスク２０に記録されている楽曲データを再生する旨の指示がユーザによってなされると、マイコン部１０のＣＰＵは、再生指示された楽曲データに対し、対応する固有情報がハードディスク２０に記録されているか否かを判断する（Ｓ１）。このような固有情報は、前もってリッピングやディジタル出力の際に記録されている。固有情報の記録に際しては、再生回数「Ｎ」も記録されるが、最初の記録時点では、再生回数「Ｎ」は「０」とされる。なお、ハードディスク２０に記録された楽曲データには、ユーザ自らの作成を経て保存されたものもあるが、このようなユーザ自らの作成による楽曲データについては、そもそも固有情報がハードディスク２０に記録されることはない。
【００３３】
対応する固有情報が記録済みの場合（Ｓ１：ＹＥＳ）、ＣＰＵは、この時点での再生回数「Ｎ」が最大再生回数「Ｎmax 」よりも小さいか否かを判断する（Ｓ２）。
【００３４】
再生回数「Ｎ」が最大再生回数「Ｎmax 」よりも小さい場合（Ｓ２：ＹＥＳ）、ＣＰＵは、再生回数「Ｎ」から最大再生回数「Ｎmax 」までの範囲内にある１つの数値「Ｎr 」を無作為抽出法により決定する（Ｓ３）。
【００３５】
さらに、ＣＰＵは、Ｓ３にて決定されたランダムな数値「Ｎr 」が現時点での再生回数「Ｎ」と一致するか否かを判断する（Ｓ４）。
【００３６】
数値「Ｎr 」が再生回数「Ｎ」に一致する場合（Ｓ４：ＹＥＳ）、ＣＰＵは、再生指示された楽曲データの出所となるオリジナルのＣＤ２を、ＣＤ機構部１１にセットする旨の要求メッセージを抜き打ち的に表示させる（Ｓ５）。もちろん、このような要求メッセージは、音声で伝えるようにしても良い。
【００３７】
その後、ＣＰＵは、要求メッセージに応じてユーザによりＣＤ２がＣＤ機構部１１にセットされたか否かを判断する（Ｓ６）。
【００３８】
ＣＤ２がＣＤ機構部１１にセットされると（Ｓ６：ＹＥＳ）、ＣＰＵは、そのＣＤ２のリードイン部から固有情報を読み出す（Ｓ７）。
【００３９】
そして、ＣＰＵは、ＣＤ２から読み出した固有情報の中から、再生指示された楽曲データの固有情報と、分、秒、フレームの全てにおいて一致するものがあるか否かを判断する（Ｓ８）。つまり、固有情報として分、秒だけでなくフレームまでも含む再生時間を判断基準とすることにより、セットされたＣＤ２が再生指示された楽曲データを含むオリジナルか否か極めて厳密に識別される。
【００４０】
ＣＤ２から読み出した固有情報と再生指示された楽曲データの固有情報とが一致する場合（Ｓ８：ＹＥＳ）、ＣＰＵは、オリジナルのＣＤ２がセットされたものと判断し、再生指示を受けた楽曲データに関する再生回数「Ｎ」を「０」に更新してハードディスク２０に記録する（Ｓ９）。
【００４１】
その後、ＣＰＵは、再生指示された楽曲データをハードディスク２０から読み出し、楽曲データを再生してこの再生処理を終える（Ｓ１０）。ここで言う楽曲データの再生とは、オーディオ出力やディジタル出力を意味する。つまり、オリジナルのＣＤ２が手元にあることを前提として、リッピングによりハードディスク２０に記録された楽曲データであっても、その楽曲データに基づく再生音を聴いたり、外部接続されたディジタル録音機器に楽曲データを転送し、ＭＤやＣＤ−Ｒなどの二次記録媒体にダビングすることができる。ここで、固有情報が一致した条件下でディジタル出力（ダビング）が行われる場合には、複製許可を示す著作権管理情報としてのビットデータがディジタル録音機器に対して出力される。複製許可を示すビットデータには、１世代のみのダビングを許すものと、幾世代にもわたってダビングを許すものの２種類がある。ここでは、１世代のみのダビングに対応したビットデータが出力される。なお、再生指示された楽曲データは、オリジナルのＣＤ２から読み出して再生するようにしても良い。
【００４２】
Ｓ８において、ＣＤ２から読み出した固有情報と再生指示された楽曲データの固有情報とが一致しない場合（Ｓ８：ＮＯ）、ＣＰＵは、オリジナルのＣＤ２でないと判断し、Ｓ５と同様の要求メッセージを再度表示させる（Ｓ１１）。その後、ＣＰＵは、Ｓ６に戻る。ここで、固有情報が一致しない条件下においては、複製不許可を示すビットデータがディジタル録音機器に対して出力され、ＭＤやＣＤ−Ｒなどの二次記録媒体にダビングすることはできない。なお、Ｓ１１に至るルーチンを規定回数実行しても固有情報が一致しない場合には、後述するＳ１３に進むようにしても良い。
【００４３】
Ｓ６において、ＣＤ２がＣＤ機構部１１にセットされない場合（Ｓ６：ＮＯ）、ＣＰＵは、再生指示がユーザによってキャンセルされたか否かを判断する（Ｓ１２）。
【００４４】
再生指示がユーザによってキャンセルされると（Ｓ１２：ＹＥＳ）、ＣＰＵは、再生指示を受けた楽曲データに関する再生回数「Ｎ」を「Ｎmax 」以上の値に変更してハードディスク２０に記録し（Ｓ１３）、楽曲データを再生することなく再生処理を終える。この場合、手元にオリジナルのＣＤ２が無いものと認識され、オリジナルのＣＤ２をセットしない限りハードディスク２０に記録された楽曲データを再生することはできない。なお、ディジタル出力の場合には、再生回数「Ｎ」の値変更に代え、ビットデータを複製不許可として出力するようにしても良い。
【００４５】
Ｓ１２において、再生指示がユーザによってキャンセルされることもない場合（Ｓ１２：ＮＯ）、ＣＰＵはＳ６に戻って待機する。なお、一定時間が経過してもＣＤ２がＣＤ機構部１１にセットされない場合には、強制的にＳ１３に進んでも良い。
【００４６】
Ｓ４において、ランダムに決定された数値「Ｎr 」が再生回数「Ｎ」に一致しない場合（Ｓ４：ＮＯ）、ＣＰＵは、再生指示を受けた楽曲データの再生回数「Ｎ」に１を加えて「Ｎ＋１」とした後（Ｓ１４）、Ｓ１０に進む。この場合には、オリジナルのＣＤ２が要求されることもなく、たとえオリジナルのＣＤ２が手元に無くても、再生指示された楽曲データをハードディスク２０から読み出して再生することができる。なお、確率論から言うと、ランダムな数値「Ｎr 」は、再生回数「Ｎ」が最大再生回数「Ｎmax 」に近いほど、再生回数「Ｎ」と一致する確率が高くなり、逆に、たとえば再生回数「Ｎ」が「０」のとき、一致する確率が最も低くなる。つまり、再生回数「Ｎ」が多くなるにつれ、オリジナルのＣＤ２をセットすべき要求メッセージが出現しやすくなり、ユーザに対して効果的に注意を促すことができる。
【００４７】
Ｓ２において、再生回数「Ｎ」が最大再生回数「Ｎmax 」以上の場合（Ｓ２：ＮＯ）、ＣＰＵは、Ｓ５に進む。この場合には、再生指示された楽曲データが上限となる最大再生回数「Ｎmax 」にわたってすでに再生済みの状態にあることから、オリジナルのＣＤ２が必ず要求される。
【００４８】
Ｓ１において、再生指示された楽曲データの固有情報がハードディスク２０に記録されていない場合（Ｓ１：ＮＯ）、ＣＰＵは、そのままＳ１０に進む。この場合には、リッピングによる楽曲データではなく、ユーザ自らが作成してハードディスク２０に保存された楽曲データなどと判断され、このような楽曲データを何ら問題なくハードディスク２０から読み出して再生することができる。ここで、特にディジタル出力の場合には、幾世代にもわたって複製許可を示すビットデータがディジタル録音機器に対して出力されることとなり、ＭＤやＣＤ−Ｒなどの二次記録媒体に何度でもダビングできる。
【００４９】
したがって、上記実施形態によれば、リッピングなどによりハードディスク２０に記録された楽曲データであっても、その出所となるオリジナルのＣＤ２が手元に無い状況で、しかも抜き打ち的にオリジナルのＣＤ２が要求された場合には、オーディオ出力やディジタル出力を行うことができないので、オリジナルのＣＤ２が無い状況でのオーディオ出力やディジタル出力が無制限に行われることを防止できる。その一方、オリジナルのＣＤ２を手元に所有するユーザにとっては、不自由なくリッピングやディジタル出力を利用することができる。
【００５０】
次に、他の実施形態について簡単に説明する。
【００５１】
他の実施形態としては、図３に示すように、たとえば数百枚のＣＤを挿入して各ＣＤから楽曲データや固有情報などを読み取り可能なＣＤチェンジャ１Ａに対し、ハードディスク１Ｃを内蔵して楽曲データを再生するＨＤＤオーディオ再生機１Ｂを信号線１Ｄで接続したシステム構成としても良い。この場合、先述した実施形態のＣＤオーディオ装置１を切り分けたような構成とされ、具体的には、ＣＤチェンジャ１Ａに全体の動作を制御するマイクロコンピュータのほか、先述のＣＤ機構部１１やＲＦ信号処理サーボアンプ１２などが搭載される。その一方、ＨＤＤオーディオ再生機１Ｂには、全体の動作を制御するマイクロコンピュータのほか、ディジタル信号処理部１３やスピーカ１５を含む出力部１４、さらには操作部３０や表示部４０が搭載される。ＣＤチェンジャ１Ａでは、挿入された各ＣＤの再生時やアイドリング回転時、これらのＣＤから固有情報を読み取ってマイクロコンピュータに含まれる不揮発性メモリなどに記憶しておくことができる。
【００５２】
リッピングによりハードディスク１Ｃに記録された楽曲データについては、ＨＤＤオーディオ再生機１Ｂでオーディオ出力やディジタル出力を行うことができる。この際、先述した実施形態と同様の再生処理が行われるが、ランダムに与えられた数値「Ｎr 」が現時点での再生回数「Ｎ」と一致する場合には、ＨＤＤオーディオ再生機１ＢからＣＤチェンジャ１Ａに対して固有情報を転送する旨の要求がなされる。それに応じてＣＤチェンジャ１Ａから各ＣＤごとに取得した固有情報が転送されてくると、ＨＤＤオーディオ再生機１Ｂが一致する固有情報が存在するか否かを確認することとなる。その他の処理については、先述した実施形態と同様である。
【００５３】
したがって、他の実施形態によっても先述した実施形態と同様の効果を得ることができる。特に、他の実施形態によれば、多数のＣＤをあらかじめ挿入しておくことができるので、図２に示すＳ５〜Ｓ７のステップを省略した再生処理とすることができ、すでにオリジナルのＣＤが挿入状態にあればユーザがわざわざＣＤをセットする必要もなく、ユーザによるオリジナルＣＤの入れ替えの負担を軽減できる。なお、他の実施形態では、図２に示すＳ１２，Ｓ１３のステップをＳ１１に続いて実行すれば良い。
【００５４】
さらに、他の実施形態の変形例としては、図４に示すように、ＨＤＤオーディオ再生機１Ｂにネットワークケーブル１Ｅを介してクライアントとしてのオーディオ機器３Ａ，４Ａを接続したシステム構成とし、ＨＤＤオーディオ再生機１Ｂからのディジタル出力によりクライアントオーディオ機器３Ａ，４Ａのスピーカ３Ｂ，４Ｂから楽曲データに基づく再生音を発生させるようにしても良い。こうした構成では、ＣＤチェンジャ１ＡやＨＤＤオーディオ再生機１Ｂの設置場所から離れた遠隔地のクライアントオーディオ機器３Ａ，４Ａで再生音を聴くことができる。
【００５５】
したがって、このような変形例によっても先述した他の実施形態と同様の効果を得ることができる。特に、変形例によれば、オリジナルＣＤを含む多数のＣＤをあらかじめＣＤチェンジャ１Ａに挿入しておくことで、オリジナルＣＤが必要とされる場合でも、再生音を聴く場所からＣＤチェンジャ１Ａなどを設置した場所にわざわざ赴く必要はなく、ユーザによるオリジナルＣＤの入れ替えの負担を軽減できる。
【００５６】
なお、本発明は、上記の各実施形態に限定されるものではない。
【００５７】
図２のＳ５では、再生回数「Ｎ」に応じてランダムにオリジナルのＣＤ２を要求するとしたが、楽曲データを再生する毎にその楽曲データの再生時刻をハードディスク２０などに保存しておき、前回の再生時刻から今回の再生指示を受けるまでの経過時間をマイコン部１０のＣＰＵが求め、この経過時間があらかじめ定められた所定時間以上の場合にオリジナルのＣＤ２を要求するとしても良い。
【００５８】
確率的支配の下でオリジナルのＣＤ２を要求するとしたが、一定の再生回数や記録日時から一定時間経過後となると、必ずオリジナルのＣＤ２を要求するとしても良い。
【００５９】
第１の記録媒体としての一次記録媒体としては、可搬性のあるＣＤのほかに、たとえばＤＶＤやＭＤ、ＣＤ−Ｒなどであっても良い。リッピングなどにより楽曲データを記録しておく第２の記録媒体としては、ハードディスクのほかに、たとえば半導体メモリやＣＤ−Ｒなどであっても良い。楽曲データの複製が可能な第３の記録媒体としての二次記録媒体としては、ＭＤやＣＤ−Ｒなどのほか、たとえばパーソナルコンピュータなどに内蔵されたハードディスクやメモリカードなどであっても良い。
【００６０】
比較的データサイズの大きい楽曲データについては、ハードディスクに記録されるが、比較的データサイズの小さい固有情報などについては、マイコン部１０に含まれる固有情報記憶手段としての不揮発性メモリに記憶するようにしても良い。
【００６１】
上記実施形態では、複製許可を示す著作権管理情報として、１世代のみのダビングを許すビットデータと、幾世代にもわたってダビングを許すビットデータの２種類があるとした。これらのビットデータを同一内容とし、たとえばダビング回数に制限なく複製許可を示すものとしても良い。
【００６２】
本発明は、ＣＤオーディオ装置１などに限らず、汎用的に利用されるパーソナルコンピュータなどにも適用できる。
【図面の簡単な説明】
【図１】本発明に係る記録再生装置を備えたＣＤオーディオ装置の基本的構成を示すブロック図である。
【図２】ＣＤオーディオ装置における楽曲データの再生処理を示すフローチャートである。
【図３】他の実施形態を示すシステム構成図である。
【図４】他の実施形態の変形例を示すシステム構成図である。
【符号の説明】
１          ＣＤオーディオ装置
１Ａ        ＣＤチェンジャ
１Ｂ        ＨＤＤオーディオ再生機
３Ａ，４Ａ  クライアントオーディオ機器
２          ＣＤ
１０        マイコン部
１１        ＣＤ機構部
１２        ＲＦ信号処理サーボアンプ
１３        ディジタル信号処理部
１４        出力部
２０        ハードディスク
３０        操作部
４０        表示部
【図１】
0003804472.tif 000002
【図２】
0003804472.tif 000003
【図３】
0003804472.tif 000004
【図４】
0003804472.tif 000005